(57)【要約】【解決手段】  照明要素への電気供給を遠隔から制御するためのデバイスおよび方法。デバイス（２００）は、ピアツーピア通信に対して構成されたワイヤレス通信モジュール（２０２）、およびマイクロコントローラ（２０８）を含む。電気供給は、照明要素から異なる色のスペクトルを生成するために、１つまたは複数の特定のＬＥＤを指定することを含むことができる、ワイヤレス通信モジュールを通じて受信されたコマンドに基づいて変更される。【選択図】  図３
2017504982.tif 000002
【特許請求の範囲】
【請求項１】
パーソナルコントローラを照明要素にリンクするためのデバイスであって、前記パーソナルコントローラが、プロセッサと、ユーザインターフェースと、ワイヤレス通信送受信機と、を有し、前記デバイスは、
前記パーソナルコントローラとのセキュアな２方向ワイヤレス通信に対して動作可能なワイヤレス通信モジュールであって、空中線と無線送受信機とを含み、非ピアツーピア通信リンク、およびネットワークアクセスポイントをシミュレーションすることによって確立されるピアツーピア通信リンクを選択的に使用して、前記パーソナルコントローラと通信するワイヤレス通信モジュールと、
複数のモードで前記ワイヤレス通信モジュールを動作させるマイクロコントローラであって、ピアツーピア通信標準を使用する第１のモードで前記ワイヤレス通信モジュールを動作させ、非ピアツーピア通信標準を使用する第２のモードで前記ワイヤレス制御モジュールを動作させ、前記第１のモードを使用して前記パーソナルコントローラと通信するように、および前記パーソナルコントローラから利用可能なＷＬＡＮのネットワークパラメータを受信するようにプログラミングされており、前記パーソナルコントローラから受信された前記利用可能なＷＬＡＮの前記ネットワークパラメータを使用して、前記ＷＬＡＮ上のクライアントとして前記第２のモードで前記ワイヤレス通信モジュールを動作させるマイクロコントローラと、
前記パーソナルコントローラから伝えられた命令の少なくとも一部に基づいて、前記照明要素への電気供給を変更するための前記マイクロコントローラからのコマンドを実装する電源制御回路と
を備えるデバイス。
【請求項２】
前記ワイヤレス制御モジュールが、前記第１および第２のモードで同時に通信する送受信機を含む、請求項１に記載のデバイス。
【請求項３】
前記照明要素が、複数の異なった色のＬＥＤを含み、前記マイクロコントローラが、前記照明要素から放出される合成色を変えるために前記電源制御回路を通じて前記照明要素の少なくとも２つのＬＥＤに対する電源を別々に変更する、請求項１または２に記載のデバイス。
【請求項４】
光および近接度のうちの少なくとも１つを感知するセンサモジュールをさらに備える、請求項１から３のいずれか一項に記載のデバイス。
【請求項５】
前記センサモジュールが、周囲光センサを含む、請求項４に記載のデバイス。
【請求項６】
前記センサモジュールが、存在を検出する近接検出器を含む、請求項４に記載のデバイス。
【請求項７】
前記センサモジュールが、少なくとも１つの周囲光センサ、および少なくとも１つの近接検出器を含む、請求項４に記載のデバイス。
【請求項８】
前記ワイヤレス通信制御モジュールが、Ｗｉ−Ｆｉ  Ｄｉｒｅｃｔを使用して前記パーソナルコントローラと通信する、請求項１から７のいずれか一項に記載のデバイス。
【請求項９】
前記マイクロコントローラが、ＳｏｆｔＡＰを使用して前記パーソナルコントローラとのピアツーピアワイヤレス通信リンクを開く、請求項１から７のいずれ一項に記載のデバイス。
【請求項１０】
前記マイクロコントローラが、前記第１および第２のモードで同時に前記ワイヤレス通信モジュールを動作させる、請求項１から９のいずれか一項に記載のデバイス。
【請求項１１】
当該デバイスをメイン電源ラインに物理的に接続するためのインターフェース接続部をさらに備え、前記インターフェース接続部が、メイン電源アウトレットとのプラグおよびソケットの係合に対して構成されている、請求項１から１０のいずれか一項に記載のデバイス。
【請求項１２】
当該デバイスをメイン電源ラインに物理的に接続するためのインターフェース接続部をさらに備え、前記インターフェース接続部が、前記メイン電源ラインに直接ワイヤ接続するターミナルブロックを含む、請求項１から１０のいずれか一項に記載のデバイス。
【請求項１３】
前記無線送受信機が、Ｗｉ−Ｆｉ  ＤｉｒｅｃｔおよびネットワークＷｉ−Ｆｉを使用して前記パーソナルコントローラと選択的に通信する、請求項１に記載のデバイス。
【請求項１４】
第２の無線送受信機をさらに備え、前記第２の無線送受信機が、異なるピアツーピア通信リンクを使用して前記パーソナルコントローラと通信する、請求項１に記載のデバイス。
【請求項１５】
前記第２の無線送受信機が、Ｂｌｕｅｔｏｏｔｈを使用して前記パーソナルコントローラと通信する、請求項１４に記載のデバイス。
【請求項１６】
前記マイクロコントローラが、前記パーソナルコントローラとのＢｌｕｅｔｏｏｔｈ通信リンクを使用して、当該デバイスをネットワークＷｉ−ＦｉデバイスおよびＷｉ−Ｆｉ  Ｄｉｒｅｃｔアクセスポイント／グループパーティシパントの少なくとも一方として再構成する、請求項１に記載のデバイス。
【請求項１７】
前記照明要素が、電灯である、請求項１から１６のいずれか一項に記載のデバイス。
【請求項１８】
前記照明要素が、一連のＬＥＤを含む、請求項１から１６のいずれか一項に記載のデバイス。
【請求項１９】
パーソナルコントローラを照明要素にリンクするためのデバイスであって、前記パーソナルコントローラが、プロセッサと、ユーザインターフェースと、ワイヤレス通信送受信機と、を有し、前記デバイスは、
前記パーソナルコントローラとのセキュアな２方向ワイヤレス通信に対して動作可能なワイヤレス通信モジュールであって、空中線と無線送受信機とを含み、ネットワークアクセスポイントをシミュレーションすることによって確立されるピアツーピア通信リンクを使用して前記パーソナルコントローラと通信するワイヤレス通信モジュールと、
前記ワイヤレス通信モジュールと前記パーソナルコントローラとの間に確立された前記ピアツーピア通信リンクを使用して、前記パーソナルコントローラからＷＬＡＮのネットワークパラメータを得るマイクロコントローラであって、前記ピアツーピア通信リンクを通じて前記パーソナルコントローラから得られた前記ネットワークパラメータに基づいて、前記ＷＬＡＮのクライアントとして前記ワイヤレス通信モジュールを動作させるようにプログラミングされている、マイクロコントローラと、
前記パーソナルコントローラから伝えられた命令の少なくとも一部に基づいて、前記照明要素への電気供給を変更するための前記マイクロコントローラからのコマンドを実装する電源制御回路と
を備えるデバイス。
【請求項２０】
前記マイクロコントローラは、当該デバイスと関連付けられた製品識別子を前記パーソナルコントローラに伝えて、前記パーソナルコントローラが、当該デバイスとの使用に対して構成されたアプリケーションプログラムを自動的にダウンロードすることを可能にする、請求項１９に記載のデバイス。
【請求項２１】
前記ワイヤレス通信制御モジュールが、Ｗｉ−Ｆｉ  Ｄｉｒｅｃｔを使用して前記パーソナルコントローラと通信する、請求項１９または２０に記載のデバイス。
【請求項２２】
前記マイクロコントローラが、ＳｏｆｔＡＰを使用して前記パーソナルコントローラとのピアツーピアワイヤレス通信リンクを開く、請求項１９から２１のいずれか一項に記載のデバイス。
【請求項２３】
当該デバイスをメイン電源ラインに物理的に接続するためのインターフェース接続部をさらに備え、前記インターフェース接続部が、メイン電源アウトレットとのプラグおよびソケットの係合に対して構成されている、請求項１９から２２のいずれか一項に記載のデバイス。
【請求項２４】
当該デバイスをメイン電源ラインに物理的に接続するためのインターフェース接続部をさらに備え、前記インターフェース接続部が、前記メイン電源ラインに直接ワイヤ接続するターミナルブロックを含む、請求項１９から２２のいずれか一項に記載のデバイス。
【請求項２５】
前記無線送受信機が、Ｗｉ−Ｆｉ  ＤｉｒｅｃｔおよびネットワークＷｉ−Ｆｉを使用して前記パーソナルコントローラと選択的に通信するように構成されている、請求項１９に記載のデバイス。
【請求項２６】
第２の無線送受信機をさらに備え、前記第２の無線送受信機が、異なるピアツーピア通信リンクを使用して前記パーソナルコントローラと通信する、請求項１９に記載のデバイス。
【請求項２７】
前記第２の無線送受信機が、Ｂｌｕｅｔｏｏｔｈを使用して前記パーソナルコントローラと通信する、請求項２６に記載のデバイス。
【請求項２８】
スマートフォンを照明要素にリンクするための方法であって、
前記照明要素を動作させる電源回路に物理的に接続可能な電源制御ユニットを設けるステップであって、前記電源制御ユニットが、マイクロプロセッサと前記スマートフォンとのピアツーピア通信リンクを確立するように動作可能な無線送受信機を含む、ステップと、
シミュレーションされたアクセスポイントとして前記電源制御ユニットを動作させることによって前記電源制御ユニットと前記スマートフォンとの間のワイヤレスピアツーピア接続を確立するステップと、
前記スマートフォンを用いて、前記電源制御ユニットが前記電源制御ユニットの範囲内のＷＬＡＮにおけるクライアントとして構成されているかどうかを決定するステップと、
前記電源制御ユニットがクライアントとして構成されていない場合、電源制御ユニットを前記ＷＬＡＮのクライアントとして構成するステップと
を含む方法。
【請求項２９】
前記ピアツーピア接続が、ｓｏｆｔＡＰとして動作する前記電源制御ユニットによって確立される、請求項２８に記載の方法。
【請求項３０】
前記無線送受信機が、Ｗｉ−Ｆｉ  Ｄｉｒｅｃｔを使用して前記スマートフォンとの前記ピアツーピア接続を確立する、請求項２８に記載の方法。
【請求項３１】
前記電源制御ユニットの範囲内にあると識別されたＷＬＡＮのネットワークアクセス詳細が前記スマートフォンに記憶されているかどうかを決定するステップをさらに含む、請求項２８に記載の方法。
【請求項３２】
前記識別されたＷＬＡＮについての前記ネットワークアクセス詳細が前記スマートフォンに記憶されている場合、前記電源制御デバイスの範囲内にあると識別されたＷＬＡＮにアクセスするためのネットワークパスワードを前記電源制御ユニットに与えるステップをさらに含む、請求項２８に記載の方法。
【請求項３３】
前記スマートフォンとの前記ピアツーピア接続を確立するのに使用されたのと同じ無線送受信機を使用して、非ピアツーピア通信リンクを使用して前記ＷＬＡＮにアクセスするステップをさらに含む、請求項２８に記載の方法。
【発明の詳細な説明】
【技術分野】
【０００１】
関連出願の相互参照
[0001]  本出願は、２０１３年１０月２９日出願の豪州特許仮出願第２０１３９０４１８０号の便益を主張するものである。本出願は、２０１３年３月１５日出願の米国特許仮出願第６１／７８６，５１９号および２０１３年４月１２日出願の豪州特許出願第２０１３２０４６７１号に関する。上記出願のそれぞれの内容全体は、参照することによって本明細書に組み込まれている。
【０００２】
[0002]  本開示は、適合型ワイヤレス通信リンクを利用してパーソナルコントローラとして機能するスマートフォン、タブレット、ラップトップ／ノートブック／ネットブック／ウルトラブックのコンピュータ、および類似の品目など、標準ポータブルコンピューティングデバイスを使用して、家庭用および商業用用途におけるメイン電源、照明、および自動化の制御に関する。
【背景技術】
【０００３】
[0003]  多くの住宅用および商業用の建物には、ボタン、スイッチ、もしくは遠隔制御部を使用して動作可能またはプログラミング可能である電源、ライト、ドア、門扉、シャッター、オーニング、ブラインド、および他の機構が使われている。ワイヤレス制御の現行の方法には、デバイスのメイン機構内に一体化された受信機に開／閉、オン／オフ、または他のコマンドを送信するのに、通常、サブ１ＧＨｚ技術を使用するハンドヘルドデバイスが必要である。遠隔制御コマンドを受信すると、機構は、他のアクションの中でも特に、ドアを開いたり閉じたり、ブラインドを上げたり下げたり、ライトをオンにしたりオフにしたり、または電源の流れを変更したりすることができる。
【０００４】
[0004]  近年では、スマートフォンの急増により、強力なコンピューティングデバイスが大衆の手中に置かれている。これらのデバイスは、ワイヤレス制御コマンドを生成し伝送することが可能である一方、それらの一般的ワイヤレスシステムは、家庭用または商業用の電化製品および機構において現在、使用されている標準とは互換性がなく、したがって、プログラミングまたは制御コマンドを転送するようなほどネイティブに通信することができない。
【発明の概要】
【発明が解決しようとする課題】
【０００５】
[0005]  制御可能な電源、ドア、門扉、シャッター、オーニング、ファン、ブラインド、およびライトの機構の製造元が、それらの製品の様々なアスペクトを顧客がスマートフォンからネイティブに制御する、またはプログラミングすることは非常に有利であることを見出し得ることは認識され得る。
【課題を解決するための手段】
【０００６】
[0006]  １つの例示的な実施形態においては、本開示は、２つのパーツ、すなわち、適合型ワイヤレス通信性能を備えた電源制御ユニットと、ワイヤレス通信リンクを介して電源制御ユニットと通信することができるバッテリ電源式パーソナルコントローラとを含む。本明細書において「好ましい（preferred）」または「好ましくは（preferably）」と言うときは、ほんの例示として意図されているにすぎないことが認識されよう。
【０００７】
[0007]  好ましくは、電源制御ユニットは、個々にかまたは同時にかのいずれかでＷｉ−Ｆｉ  Ｄｉｒｅｃｔおよび／またはネットワークＷｉ−Ｆｉ技術を使用する適合型Ｗｉ−Ｆｉ  ＤｉｒｅｃｔおよびネットワークＷｉ−Ｆｉデバイスとして、ならびに任意選択により、Ｂｌｕｅｔｏｏｔｈ  ＳＩＧクラス２．１＋ＥＤＲまたはＢｌｕｅｔｏｏｔｈ  Ｌｏｗ  Ｅｎｅｒｇｙ、Ｂｌｕｅｔｏｏｔｈ４．０を含んだより最近の技術、およびＣＳＲＭｅｓｈなどのプロトコル層を使用するＢｌｕｅｔｏｏｔｈデバイスとして、ワイヤレスで動作するように構成されている。本明細書に使用されるとき、「ネットワークＷｉ−Ｆｉ」は、いずれの改正形態、拡張形態、または専有実装形態を含んだ、任意の「Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ（IEEE）８０２．１１標準に基づくワイヤレスローカルエリアネットワーク（ＷＬＡＮ）製品」としてのＷｉ−Ｆｉ  Ａｌｌｉａｎｃｅ定義を示す。本明細書に使用されるとき、「Ｗｉ−Ｆｉ  Ｄｉｒｅｃｔ」という用語は、Ｗｉ−Ｆｉ  ＡｌｌｉａｎｃｅのＷｉ−Ｆｉ  Ｄｉｒｅｃｔ仕様、およびＷｉ−Ｆｉピアツーピア技術の改正形態、拡張形態、または専有実装形態をサポートするように構成された考案を示す。
【０００８】
[0008]  Ｗｉ−Ｆｉ  ＤｉｒｅｃｔおよびＢｌｕｅｔｏｏｔｈは、ピアツーピア対応の通信技術である。電源制御ユニット内に組み込まれ得るピアツーピア通信方法および制御の態様は、「Ｗｉｒｅｌｅｓｓ  Ｐｏｗｅｒ，  Ｌｉｇｈｔ  ａｎｄ  Ａｕｔｏｍａｔｉｏｎ  Ｃｏｎｔｒｏｌ」と題された２０１１年１２月２９日出願のＰＣＴ出願第ＰＣＴ／ＡＵ２０１１／００１６６６号に、より詳細に記載され、その開示全体は、参照することによって本明細書に組み込まれている。ネットワークＷｉ−Ｆｉは、デバイスがＷＬＡＮを通じて通信できるようにする通信技術である。電源制御ユニット内に組み込まれ得る適合型ネットワーク、ピアツーピア通信方法、およびシステムの属性は、「Ａｄａｐｔａｂｌｅ  Ｗｉｒｅｌｅｓｓ  Ｐｏｗｅｒ，  Ｌｉｇｈｔ  ａｎｄ  Ａｕｔｏｍａｔｉｏｎ  Ｓｙｓｔｅｍ」と題された２０１２年８月１５日出願のＰＣＴ出願第ＰＣＴ／ＡＵ２０１２／０００９５９号に、より詳細に記載され、その開示全体は、参照することによって本明細書に組み込まれている。
【０００９】
[0009]  パーソナルコントローラは、好ましくは、少なくともネットワークＷｉ−Ｆｉをサポートし、かつＷｉ−Ｆｉ  Ｄｉｒｅｃｔおよび／もしくはＢｌｕｅｔｏｏｔｈならびに／またはＮｅａｒ  Ｆｉｅｌｄ  Ｃｏｍｍｕｎｉｃａｔｉｏｎｓ（NFC）もサポートし得るスマートフォンとして一般に知られている市販のセルラフォンあるいはモバイルフォンである。別段注記されない限り、パーソナルコントローラは、スマートフォンという観点で説明されることになるが、本開示はそのように限定されない。ほんの例として、パーソナルコントローラは、Ａｐｐｌｉｃａｔｉｏｎｓ  Ｐｒｏｇｒａｍ（App）を他の手段によってダウンロードまたはインストールすること、所要の機能を実行するためにＡｐｐを制御するようにユーザが対話し得る、適したインターフェースを有すること、および電源制御ユニットとの通信を確立するワイヤレス通信性能を有すること、ができる任意のポータブルデバイスであってよい。パーソナルコントローラの例には、スマートフォン、タブレット、ラップトップ、ウルトラブック、およびノートブックパーソナルコンピュータが含まれる。
【００１０】
[0010]  電源制御ユニットは、Ｗｉ−Ｆｉ  Ｄｉｒｅｃｔおよび／またはネットワークＷｉ−Ｆｉを使用してスマートフォンとの通信リンクを形成することが可能であることが好ましい。電源制御ユニットがＷＬＡＮに接続されているとき、同じＷＬＡＮに接続されているＷｉ−Ｆｉ性能を備えたスマートフォンが、適切なＡｐｐを使用して、電源制御ユニットと通信することが可能であることは認識され得る。つまり、ユーザは、そのスマートフォンにコマンドを入力し、ＷＬＡＮを介してそれを電源制御ユニットに送信することができる。この場合には、スマートフォンは、ＷＬＡＮアクセスポイント付近にあることが可能になり、またはスマートフォンは、遠隔場所にあり、そのように構成されているならば、インターネットを介してＷＬＡＮアクセスポイントと通信することが可能になる。
【００１１】
[0011]  Ｗｉ−Ｆｉ  Ｄｉｒｅｃｔモードで動作している電源制御ユニットが、ＷＬＡＮの要件なしに、スマートフォンとピアツーピア通信し得ることは認識され得る。この場合には、電源制御ユニットは、スマートフォンがＷｉ−Ｆｉ  Ｄｉｒｅｃｔを使用して通信していない場合、Ｗｉ−Ｆｉアクセスポイントをシミュレーションする、もしくはソフトウェアアクセスポイント（softAP）として動作することが好ましく、またはスマートフォンがＷｉ−Ｆｉ  Ｄｉｒｅｃｔを使用して通信している場合、電源制御ユニットおよびスマートフォンは、どのデバイスがＷｉ−Ｆｉ  Ｄｉｒｅｃｔグループオーナーロールを担い、ピアツーピア接続を確立することになるのかをネゴシエーションすることができる。一旦、ピアツーピア接続が確立されると、ユーザは、任意の他の仲介またはネットワークの必要なしに、スマートフォンから直接、選択された電源制御ユニットにコマンドを送信することができる。
【００１２】
[0012]  １つの好ましい実施形態における本開示は、ネットワークＷｉ−ＦｉおよびＷｉ−Ｆｉ  Ｄｉｒｅｃｔの両方の接続を個々にまたは同時に提供する任意の数の無線機、送受信機、およびコントローラから得られるワイヤレス通信性能を備えた電源制御ユニットについて説明する。いくつかの好ましい実施形態においては、電源制御ユニットはまた、ワイヤレスＢｌｕｅｔｏｏｔｈ接続をサポートするために、必要な無線機、送受信機、または構成要素を含んでもよい。
【００１３】
[0013]  費用または所望の成果に応じて、電源制御ユニットのワイヤレス通信性能は、個々に、まとめて、またはシステムインパッケージ（SiP）として、もしくはシステムオンチップ（SoC）としてのいずれかで、任意の数の個別の無線機、空中線、送受信機、マイクロプロセッサ、およびコントローラを用いること、ＳｉＰまたはＳｏＣとして種々の標準のいくつかの個別の送受信機およびコントローラの機能性を統合するコンビネーションすなわち「コンボ」チップを用いること、あるいはコンボチップ、ＳｉＰ、ＳｏＣ、ならびに／または個別の無線機、空中線、送受信機、およびコントローラの何らかの組合せを使用することを用いること、によって達成され得る。電源制御ユニットは、単一または複数のワイヤレス帯域、物理チャネル、仮想チャネル、モードもしくは他の共存技術およびアルゴリズムを利用することができ、それらの方法は、すでに当業者に知られており、本明細書では説明されない。選定されたハードウェア構成要素に応じて、電源制御ユニットはまた、外部スプリッタの必要性をなくす、または要求される空中線の数を低減するために、共有されるアンテナ支柱および共有される信号受信経路を含むこともある。
【００１４】
[0014]  １つの好ましい実施形態における本開示は、第１のモードで、ピアツーピア接続を提供し、第２のモードで、ネットワークＷｉ−Ｆｉデバイスとして動作しクライアントとしてＷＬＡＮに接続するようにユーザによって構成され得るワイヤレス通信部を備える電源制御ユニットについて説明する。
【００１５】
[0015]  電源制御ユニットは、その最終的な構成に関係なく、好ましくはＷｉ−Ｆｉ  Ｄｉｒｅｃｔを利用して、ピアツーピアモードで最初に機能するように設定されたそのワイヤレス通信部を有する。Ｗｉ−Ｆｉ  Ｄｉｒｅｃｔは、ピアツーピア接続を提供するので、電源が電源制御ユニットに与えられるとすぐに、それは、少なくともネットワークＷｉ−Ｆｉと通信しているスマートフォンによって認識され得、ワイヤレス通信リンクが確立され得る。任意の動作アスペクトを構成し、電源制御ユニットの機能的性能を制御するには、好ましくは、スマートフォンＡｐｐが使用される。一旦、通信リンクが確立されると、ユーザは、好ましくはスマートフォンと電源制御ユニットとの間のデータ経路を使用するスマートフォンＡｐｐをアクティブにすることができる。スマートフォンＡｐｐを使用すると、ユーザは、電源制御ユニットが、引き続きピアツーピアモードで動作すべきであるのか、ネットワークＷｉ−Ｆｉモードに切り替えるべきであるのか、それともサポートされる両方のモードを同時に動作させるべきであるのかを選定し、ネットワークＷｉ−Ｆｉまたはピアツーピアデバイスに必要な任意の動作パラメータを用いて電源制御ユニットを設定し、デバイスに名前を付け、暗号化キーを設定し、必要な場合または望ましい場合があるパスワードおよび任意の他の要件を入力することができる。この手順が完了されたとき、ユーザは、「再起動する」ように電源制御ユニットに命じることができ、その時点で、電源制御ユニットは、セットアップ処理中に指定済みであるパラメータに従ってそれ自体を構成することになる。
【００１６】
[0016]  ユーザが、Ｗｉ−Ｆｉ  Ｄｉｒｅｃｔを利用してピアツーピアモードで動作させるように電源制御ユニットを選定した場合、電源制御ユニットは、再起動後に、引き続きそのように行うことになる。電源制御ユニットは、その接続要件に完全に準拠することが可能なスマートフォンにのみ接続してから、通信リンクを確立することになる。これには、Ｗｉ−Ｆｉ  Ｐｒｏｔｅｃｔｅｄ  ＡｃｃｅｓｓまたはＷｉ−Ｆｉ  Ｐｒｏｔｅｃｔｅｄ  Ａｃｃｅｓｓ２などのＷｉ−Ｆｉ  Ｄｉｒｅｃｔの任意のネイティブなセキュリティ対策に加えてセキュリティ対策が含まれ得る。
【００１７】
[0017]  ユーザが、ネットワークＷｉ−Ｆｉモードで動作させるように電源制御ユニットを選定した場合、スマートフォンＡｐｐは、電源制御ユニットがＷＬＡＮに接続するために、必要なパラメータを構成することになる。電源制御ユニットは、再起動するとき、ＷＬＡＮ上のクライアントデバイスとして接続することになる。次いで、好ましくは、電源制御ユニットは、同じＷＬＡＮにやはり接続されているデバイスにアクセスできることになる。アクセスアドミニストレータがクライアントとしてＷＬＡＮに接続するために、必要なパラメータを構成するには、好ましくは、電源制御ユニットのピアツーピアワイヤレスモードが使用される。
【００１８】
[0018]  いずれのモードにおいても、電源制御部の機能的性能を制御するには、好ましくは、スマートフォンＡｐｐが使用される。ネットワークＷｉ−Ｆｉモードにおいては、スマートフォンＡｐｐは、ＷＬＡＮアクセスポイントを介して、選択された電源制御ユニットと通信する。Ｗｉ−Ｆｉ  Ｄｉｒｅｃｔを利用するピアツーピアモードにおいては、スマートフォンＡｐｐは、選択されたアクセスアドミニストレータのマシンツーマシンと直接通信する。
【００１９】
[0019]  ユーザが、Ｗｉ−Ｆｉ  ＤｉｒｅｃｔモードとネットワークＷｉ−Ｆｉモードの両方で同時に動作させるように電源制御ユニットを選定した場合、電源制御部は、再起動するとき、ＷＬＡＮ上のクライアントデバイスとして、およびＷｉ−Ｆｉ  Ｄｉｒｅｃｔアクセスポイント／各モードの機能が利用できるグループパーティシパントとして見えることになる。そのやり方においては、ほんの一例として、電源制御ユニットは、同時ＷＬＡＮ接続へのアクセスを許可することなしに、Ｗｉ−Ｆｉ  Ｄｉｒｅｃｔ接続を介してサードパーティアクセスを許可することが可能になり、したがって、他のＷＬＡＮデバイスへのアクセスが防止される。
【００２０】
[0020]  電源制御ユニットの動作アスペクトを構成することに加えて、電源制御ユニットの様々な自動化および対話型機能を制御しプログラミングするには、好ましくは、スマートフォンＡｐｐがやはり使用されることになる。１つの好ましい実施形態においては、これは、電源制御ユニットにおいて、埋め込まれた周囲光センサから決定された周囲光閾値に、固有の応答を設定する能力を含むことが可能になる。別の好ましい実施形態においては、これは、電源制御ユニットにおいて、埋め込まれた近接検出器から決定された近接イベントに関係して固有の応答を設定する能力を含むことが可能になる。別の好ましい実施形態においては、これは、スマートフォン画面上に表示されるグラフィカルな近似物から色調を指定することを含むことが可能になる。
【００２１】
[0021]  １つの好ましい実施形態においては、ネットワークＷｉ−Ｆｉデバイス、および／またはＷｉ−Ｆｉ  Ｄｉｒｅｃｔアクセスポイントグループパーティシパント、および／またはピアツーピアＷｉ−Ｆｉデバイスとして電源制御ユニットを構成するための情報を入力するには、あるいはネットワークＷｉ−Ｆｉ接続、および／またはＷｉ−Ｆｉ  Ｄｉｒｅｃｔ接続、および／またはピアツーピアＷｉ−Ｆｉ接続の確立を容易にするには、スマートフォンと電源制御ユニットとの間のＢｌｕｅｔｏｏｔｈピアツーピア接続が使用され得る。別の好ましい実施形態においては、電源制御ユニットとスマートフォンとの間のＢｌｕｅｔｏｏｔｈ接続が、電源制御ユニットとデータを交換するピアツーピア通信チャネルとして使用され得る。
【００２２】
[0022]  電源制御ユニットは、機械的なスイッチ、ボタン、または容量式／近接タッチエリアなどの露出したヒューマンインターフェースを有してよい。１つの好ましい実施形態においては、損壊発生を低減させるため、または高い耐候性ユニットを生み出すためには、露出したヒューマンインターフェースをまったく有していないことが望ましい場合がある。
【００２３】
[0023]  電源制御ユニットが、数多くの種々の形態の照明製品の中に組込み可能であることは認識され得る。
【００２４】
[0024]  １つの好ましい態様においては、本開示は、パーソナルコントローラを照明要素にリンクするためのデバイスについて説明し、パーソナルコントローラは、プロセッサ、ユーザインターフェース、およびワイヤレス通信送受信機を有する。デバイスは、パーソナルコントローラとのセキュアな２方向ワイヤレス通信に対して動作可能なワイヤレス通信モジュールを含み、ワイヤレス通信モジュールは、空中線、および無線送受信機を含み、ワイヤレス通信モジュールは、非ピアツーピア通信リンク、およびネットワークアクセスポイントをシミュレーションすることによって確立されるピアツーピア通信リンクを選択的に使用してパーソナルコントローラと通信するように構成されている。デバイスは、複数のモードでワイヤレス通信モジュールを動作させるように構成されたマイクロコントローラをさらに含み、マイクロコントローラは、ピアツーピア通信標準を使用する第１のモードでワイヤレス通信モジュールを動作させるように構成されており、マイクロコントローラは、非ピアツーピア通信標準を使用する第２のモードでワイヤレス制御モジュールを動作させるように構成されており、マイクロコントローラは、第１のモードを使用してパーソナルコントローラと通信するように、およびパーソナルコントローラから利用可能なＷＬＡＮのネットワークパラメータを受信するようにプログラミングされており、マイクロコントローラは、パーソナルコントローラから受信された利用可能なＷＬＡＮのネットワークパラメータを使用して、ＷＬＡＮ上のクライアントとして第２のモードでワイヤレス通信モジュールを動作させるように構成されている。デバイスは、パーソナルコントローラから伝えられた命令に少なくとも一部基づいて、照明要素への電気供給を変更するためのマイクロコントローラからのコマンドを実装するように構成された電源制御回路をさらに含む。
【００２５】
[0025]  別の好ましい態様においては、本開示は、パーソナルコントローラを照明要素にリンクするためのデバイスについて説明し、パーソナルコントローラは、プロセッサ、ユーザインターフェース、およびワイヤレス通信送受信機を有する。デバイスは、パーソナルコントローラとのセキュアな２方向ワイヤレス通信に対して動作可能なワイヤレス通信モジュールを含み、ワイヤレス通信モジュールは、空中線、および無線送受信機を含み、ワイヤレス通信モジュールは、ネットワークアクセスポイントをシミュレーションすることによって確立されるピアツーピア通信リンクを使用してパーソナルコントローラと通信するように構成されている。デバイスは、ワイヤレス通信モジュールとパーソナルコントローラとの間に確立されたピアツーピア通信リンクを使用して、パーソナルコントローラからＷＬＡＮのネットワークパラメータを得るように構成されたマイクロコントローラをさらに含み、マイクロコントローラは、ピアツーピア通信リンクを通じてパーソナルコントローラから得られたネットワークパラメータに基づいて、ＷＬＡＮのクライアントとしてワイヤレス通信モジュールを動作させるようにプログラミングされている。デバイスはまた、パーソナルコントローラから伝えられた命令に少なくとも一部基づいて、照明要素への電気供給を変更するためのマイクロコントローラからのコマンドを実装するように構成された電源制御回路も含む。
【００２６】
[0026]  別の好ましい態様においては、本開示は、スマートフォンを照明要素にリンクするための方法について説明する。この方法は、照明要素を動作させるように構成された電源回路に物理的に接続可能な電源制御ユニットを設けるステップであって、電源制御ユニットは、マイクロプロセッサ、およびスマートフォンとのピアツーピア通信リンクを確立するように動作可能な無線送受信機を含む、ステップと、シミュレーションされたアクセスポイントとして電源制御ユニットを動作させることによって電源制御ユニットとスマートフォンとの間のワイヤレスピアツーピア接続を確立するステップと、スマートフォンを用いて、電源制御ユニットが電源制御ユニットの範囲内のＷＬＡＮにおけるクライアントとして構成されているかどうかを決定するステップと、電源制御ユニットがまだ、クライアントとして構成されていない場合、電源制御ユニットをＷＬＡＮのクライアントとして構成するステップとを含む。
【００２７】
[0027]  本明細書におけるいずれかの従来技術への参照は、従来技術が、豪州および任意の他の国における共通の一般的な知識の一部を形成することの承認、または何らかの形態の提案として解釈されるものでも、すべきものでもない。
【図面の簡単な説明】
【００２８】
【図１】[0028]本開示の１つの好ましい実施形態において使用するためのスマートフォンの斜視図である。
【図２】[0029]本開示の１つの好ましい実施形態による電源制御ユニットの機能要素のブロック図である。
【図３】[0030]本開示の１つの好ましい実施形態による、互いにピアツーピア通信リンクにおいて使用され、Ｗｉ−Ｆｉ  ＷＬＡＮにおいて使用される、図１のスマートフォンと図２の電源制御ユニットとのシステムを表す図である。
【図４】[0031]本開示の１つの好ましい実施形態による図３のＷｉ−Ｆｉ  ＷＬＡＮにおけるクライアントデバイスとして図２の電源制御ユニットを構成するのに図１のスマートフォンを利用する例示的な構成手順の流れ図である。
【発明を実施するための形態】
【００２９】
[0032]  本開示の代替の実施形態は、本明細書を考慮し、本明細書に開示される本開示を実践することから当業者には明らかになろう。本明細書および諸例は、ほんの例示として考慮されることが意図され、本開示の真の範囲および精神は、後に続く特許請求の範囲によって示される。
【００３０】
[0033]  図１は、（より詳細に後述される）電源制御ユニットと通信するのにワイヤレスリンクを使用するスマートフォン１０の斜視図である。好ましくは、スマートフォン１０は、市販されている従来のスマートフォンである。スマートフォンが含むと好ましい基本機能のいくつかは、タッチ感応式グラフィカル画面インターフェース１２、互換性のある無線送受信機、ならびに個々のスマートフォンおよび／または電源制御ユニットに固有の「Ｐｒｏｄｕｃｔ  Ａｐｐ」と本明細書によって呼ばれるアプリケーションプログラムを実行する能力である。Ｐｒｏｄｕｃｔ  Ａｐｐは、１つまたは複数のプロセッサとの組合せで常に使用されること、ならびにそれがホストされる場合には、Ｐｒｏｄｕｃｔ  Ａｐｐの機能およびパラメータに従って、別の形で、汎用プロセッサから専用プロセッサへとなり得るものを構成することが理解されよう。Ｐｒｏｄｕｃｔ  Ａｐｐは、スマートフォンなどのモバイル通信デバイスのプロセッサなどの非一時的媒体において、電源制御デバイスのマイクロプロセッサにおいて、遠隔オフサイトのプロセッサにおいて、またはデバイスもしくはシステムの中で共有化されて常駐することができる。好ましくは、Ｐｒｏｄｕｃｔ  Ａｐｐは、スマートフォン１０にダウンロードされ、電源制御ユニットの制御、構成、プログラミング、および／または問合せのためのヒューマンインターフェースとして動作する。後に続く諸例においては、Ｐｒｏｄｕｃｔ  Ａｐｐの固有のコーディングは、具体的なコーディングに関して論じる必要なしに、当業者が説明されている実施形態の機能を理解し再現することができることになるので、簡潔にするために省略されている。
【００３１】
[0034]  スマートフォン１０は、好ましくは、少なくともネットワークＷｉ−Ｆｉを介して通信する技術を含んだワイヤレス通信技術の範囲にわたって動作するように構成されている。スマートフォン１０は、追加的には、Ｗｉ−Ｆｉ  Ｄｉｒｅｃｔ、および／またはＢｌｕｅｔｏｏｔｈ、および／またはＮＦＣの性能を含むことができる。本開示の好ましい実施形態は、そのコントローラとしてスマートフォン、特には、少なくともネットワークＷｉ−Ｆｉを組み込んだスマートフォンを使用するが、他のワイヤレス通信方法およびシステムが、本開示の適用例の固有の要件に応じて使用可能になる。
【００３２】
[0035]  次に、図２を参照すると、電源制御ユニット２００が、本開示の好ましい実施形態により示されている。電源制御ユニット２００は、ワイヤレス通信部２０２、恒久クロックカレンダ２０４、センサモジュール２０６、埋め込まれたメモリを備えるシステムマイクロコントローラ２０８、空中線２１０、電源制御回路２１２、および電気装置２１４を有する。いくつかの好ましい実施形態においては、システムマイクロコントローラ２０８が、埋め込まれたメモリに加えて、またはその代わりに、外部メモリをサポートすることは好ましい場合がある。いくつかの好ましい実施形態においては、システムマイクロコントローラ２０８および通信モジュール２０６が完全に一体化されていることは好ましい場合がある。
【００３３】
[0036]  恒久クロックカレンダ２０４は、好ましくは、メイン電源の停止が発生した場合に、実時間を正確に維持できるようにするバッテリまたは超コンデンサを経由する電源バックアップを含む。いくつかの好ましい実施形態においては、恒久クロックカレンダ２０４は、電源制御ユニット２００がクロックもしくは日付依存の動作をまったく行わない場合、またはワイヤレス通信を介して外部ソースからクロックデータを受信する場合には、省略され得る。いくつかの好ましい実施形態においては、恒久クロックカレンダ２０４は、システムマイクロコントローラ２０８内に一体化され得る。
【００３４】
[0037]  電源制御回路２１２は、好ましくは、電気デバイス２１４に対する電源を変更するように適合され、適した物理接続インターフェースを含む。適用例に応じて、電気デバイス２１４は、必ずしも電源制御回路２１４と同一場所に配置されなくてもよい。１つの好ましい実施形態においては、電源制御ユニット２００は、例としては、ドア機構、門扉機構、電動式ブラインドおよびオーニング機構、電動式スクリーン機構、ライトスイッチ、照明コントローラ、照明器具、電灯、照明器、電源制御機構、電源アウトレット、ファン、サーモスタットおよび空調ユニットなどの気候制御機器、自動販売機、スプリンクラーおよび散水システム、ポンプ、プールろ過システム、ガス計測および制御機器、電気メータ、周辺コンピュータ機器、家庭用電化製品、白物家電、ならびに警報システムなどの電気デバイス内に全体的に一体化され得る。
【００３５】
[0038]  １つの好ましい実施形態においては、電源制御ユニット２００は、好ましくは、ターミナルブロックなど、適した物理インターフェースを含み、それにより、電源制御ユニット２００を、建物もしくは構造体の電気メイン内、または自動車もしくは船の電気システム内に直接一体化できるようになる。１つの好ましい実施形態においては、電源制御ユニット２００は、メイン電源汎用アウトレット内に差し込むために、ＭＥＭＡ５−１５のＮｏｒｔｈ  Ａｍｅｒｉｃａメイン電源標準に対応しているフライングリードとともに構成され得る。別の好ましい実施形態においては、電源制御ユニット２００は、メイン電源汎用アウトレット内に直接差し込むために、ＭＥＭＡ５−１５のＮｏｒｔｈ  Ａｍｅｒｉｃａメイン電源標準に対応している集積化された電源ピンを含むプラグインパックとして構成され得る。電源制御ユニットが、本開示の範囲から逸脱することなく、様々な国または適用例の電流、電圧、および電源ピンの要件に従って構成され得ることは理解されよう。
【００３６】
[0039]  システムマイクロコントローラ２０８とスマートフォン１０との間のコマンドおよび応答は、ワイヤレス通信部２０２および空中線２１０によってサポートされる無線周波数ワイヤレスリンクを通じて通信される。ワイヤレス通信部２０２は、好ましくは、個々にまたは同時にネットワークＷｉ−ＦｉおよびＷｉ−Ｆｉ  Ｄｉｒｅｃｔ接続に、任意選択によりＢｌｕｅｔｏｏｔｈをサポートする能力を提供する任意の数の無線機、送受信機、マイクロプロセッサ、コントローラ、および空中線を含む。ワイヤレス通信の例は、２０１２年８月１５日出願のＰＣＴ出願第ＰＣＴ／ＡＵ２０１２／０００９５９号に記載され、その内容全体が本明細書に参照することによって組み込まれている。費用および所望の動作機能に応じて、ワイヤレス通信部２０２は、Ｗｉ−Ｆｉ無線機、Ｗｉ−Ｆｉ無線機同士の組合せ、またはＷｉ−Ｆｉ無線機とワイヤレス無線機とＢｌｕｅｔｏｏｔｈ無線機との任意の組合せしか含まない場合もある。ワイヤレス通信性能は、個々に、まとめて、またはシステムインパッケージ（SiP）として、もしくはシステムオンチップ（SoC）としてのいずれかで、任意の数の個別の無線機、空中線、送受信機、マイクロプロセッサ、およびコントローラを用いること、ＳｉＰまたはＳｏＣとして種々の標準のいくつかの個別の送受信機およびコントローラの機能性を統合するコンビネーションすなわち「コンボ」チップを用いること、あるいはコンボチップ、ＳｉＰ、ＳｏＣ、ならびに／または個別の無線機、空中線、送受信機、およびコントローラの何らかの組合せを使用することを用いること、によって達成され得る。電源制御ユニットは、単一または複数のワイヤレス帯域、物理チャネル、仮想チャネル、モードもしくは他の共存技術およびアルゴリズムを利用することができ、それらの方法は、すでに当業者に知られており、本明細書では説明されない。選定されたハードウェア構成要素に応じて、ワイヤレス通信部２０２はまた、外部スプリッタまたは追加の空中線の必要性をなくすために、共有されるアンテナ支柱および共有される信号受信経路を含むこともある。必要ならば、共有されるアンテナ支柱が実現可能でない場合には、追加の１本の空中線または複数本の空中線が、追加されてよい。
【００３７】
[0040]  ワイヤレス通信部２０２は、ピアツーピアＷｉ−Ｆｉ標準、好ましくはＷｉ−Ｆｉ  Ｄｉｒｅｃｔを使用して動作するとき、いずれの仲介ハードウェアも必要なしに、ピアツーピア方式で、ネットワークＷｉ−ＦｉまたはＷｉ−Ｆｉ  Ｄｉｒｅｃｔをサポートするデバイスと通信することができる。ワイヤレス通信部２０２は、好ましくは、Ｗｉ−Ｆｉ  ＤｉｒｅｃｔグループパーティシパントおよびＷｉ−Ｆｉ  ＤｉｒｅｃｔアクセスポイントまたはＳｏｆｔＡＰの両方として、Ｗｉ−Ｆｉ  Ｄｉｒｅｃｔ仕様に従って動作するように構成され、それにより、電源制御ユニット２００は、ネットワークＷｉ−Ｆｉと通信するデバイスには、Ｗｉ−Ｆｉアクセスポイントとして見えることが可能になる。ＳｏｆｔＡＰを介すると、ワイヤレス通信部２０２は、ネットワークＷｉ−ＦｉデバイスがＷｉ−Ｆｉ  Ｄｉｒｅｃｔをサポートしていない可能性があっても、ネットワークＷｉ−Ｆｉデバイスとのピアツーピア通信リンクを確立することができる。この事例においては、ネットワークＷｉ−Ｆｉを使用して通信するデバイスが、あたかもＷｉ−Ｆｉアクセスポイントからであるように、電源制御ユニット２００からデバイス発見メッセージを受信し、あたかもそれがＷｉ−Ｆｉアクセスポイントに接続しているかのように、電源制御ユニット２００とのピアツーピア通信リンクを確立することができることになる。Ｗｉ−Ｆｉ  ＤｉｒｅｃｔデバイスとネットワークＷｉ−Ｆｉデバイスとの間の通信リンクを確立する手順は、Ｗｉ−Ｆｉ  Ａｌｌｉａｎｃｅ仕様に定義され、通信システムプロトコルの当業者によって理解されることになる。
【００３８】
[0041]  Ｗｉ−Ｆｉ  Ｄｉｒｅｃｔは、電源制御ユニットとコントローラとして動作するスマートフォンとの間の通信を簡素化するいくつかの利点を有する。有意な利点には、移動性（mobility）と携帯性（portability）とが含まれ、ここでは、スマートフォンおよび電源制御ユニットは、ワイヤレス通信リンクを確立するのに互いの無線範囲内にあることだけが必要である。Ｗｉ−Ｆｉ  Ｄｉｒｅｃｔは、Ｗｉ−Ｆｉ  Ｐｒｏｔｅｃｔｅｄ  Ａｃｃｅｓｓ２プロトコルなどの手段、および運ばれるメッセージの暗号化を通じて、セキュアな通信を提案し、これにより、システムは、適格なデバイスに対して依然として確実にセキュアなままである。最も重要なことは、スマートフォンネットワークＷｉ−Ｆｉが、ピアツーピア通信をオンデマンドでサポートするように意図されることが決してなかったとしても、Ｗｉ−Ｆｉ  Ｄｉｒｅｃｔは、ネットワークＷｉ−Ｆｉしか備えていないスマートフォンが、電源制御ユニットとのピアツーピアデータ交換を行うことを可能にすることである。
【００３９】
[0042]  スマートフォンが進化し続けるにつれて、新規モデルは、ネットワークＷｉ−Ｆｉに加えてＷｉ−Ｆｉ  Ｄｉｒｅｃｔサポートを含むようになり始めている。本開示の１つの好ましい実施形態においては、電源制御ユニット２００およびスマートフォン１０が発見処理の一部としてＷｉ−Ｆｉ  Ｄｉｒｅｃｔインテントを交換する場合、スマートフォン１０および電源制御ユニット２００は、どのデバイスが、Ｗｉ−Ｆｉ  ＡｌｌｉａｎｃｅのＷｉ−Ｆｉ  Ｄｉｒｅｃｔ仕様に従ってグループオーナーロールを担うことになるのかをネゴシエーションすることになり、ピアツーピアＷｉ−Ｆｉ  Ｄｉｒｅｃｔ通信リンクが、確立されることになる。Ｗｉ−Ｆｉ  Ｄｉｒｅｃｔ仕様は、いずれのＷｉ−Ｆｉ  Ｄｉｒｅｃｔデバイスをもグループオーナーになることを可能にし、デバイスの性能に応じて、ネゴシエーション手順は、このロールを行うのに最も適したデバイスを決定する。
【００４０】
[0043]  システムマイクロコントローラ２０８は、好ましくは、ファームウェアプログラムを組み込み、このファームウェアプログラムは、電源制御ユニット２００の動作および機能を定義し、ワイヤレス通信部２０２の動作、恒久クロックカレンダ２０４の問合せ、センサモジュール２０６の制御および問合せ、ならびに電源制御回路２１２の動作を指定し制御することを含んだ、プログラムコードおよびシステム要素を実行するための責任を担う。システムマイクロコントローラ２０８は、好ましくは、任意のプログラムデータを記憶する不揮発性メモリを含む。いくつかの好ましい実施形態においては、恒久クロックカレンダ２０４が、システムマイクロコントローラ２０８の埋め込まれた機能であってもよい。いくつかの好ましい実施形態においては、不揮発性メモリが、システムマイクロコントローラ２０８の外部にあってもよい。いくつかの好ましい実施形態においては、複数のマイクロコントローラが使用されてもよい。
【００４１】
[0044]  電源制御ユニット２００が製造されるとき、システムマイクロコントローラ２０８は、好ましくは、ネットワークＷｉ−ＦｉデバイスおよびＷｉ−Ｆｉ  Ｄｉｒｅｃｔアクセスポイント／グループパーティシパントとして電源制御ユニット２００を動作させるために、ファームウェアを保持する。初めて電源が電源制御ユニットに与えられるとき、システムマイクロコントローラ２０８は、好ましくは、Ｗｉ−Ｆｉ  Ｄｉｒｅｃｔモードでワイヤレス通信／制御モジュール２０２を起動し、ワイヤレス範囲内のスマートフォンによって検出可能である発見メッセージの伝送を始める。
【００４２】
[0045]  Ｗｉ−Ｆｉ  Ｄｉｒｅｃｔアクセスポイント／グループパーティシパントとして動作する電源制御ユニットが、Ｗｉ−Ｆｉ  ＷＬＡＮの必要なしに、スマートフォンと直接通信することができることは認識され得る。電源制御ユニット２００は、好ましくは、スマートフォン１０がＷｉ−Ｆｉ  Ｄｉｒｅｃｔを使用して通信していない場合、Ｗｉ−Ｆｉアクセスポイントとして見え、またはスマートフォン１０がＷｉ−Ｆｉ  Ｄｉｒｅｃｔを使用して通信している場合、どのデバイスがＷｉ−Ｆｉ  Ｄｉｒｅｃｔグループオーナーロールを担うことになるのかに関してスマートフォン１０とネゴシエーションする。次いで、ユーザは、ピアツーピア通信リンクを確立し、いずれの他のデバイスの必要なしに、選択された電源制御ユニットに直接コマンドを送信することができる。
【００４３】
[0046]  １つの好ましい実施形態においては、ピアツーピアモードにおけるワイヤレス通信部２０２は、好ましくは、Ｗｉ−Ｆｉアクセスポイントをシミュレーションするように、またはＷｉ−Ｆｉ  Ｄｉｒｅｃｔに対するサポートなしに、ＳｏｆｔＡＰとして動作するように構成され得る。その場合には、スマートフォンは、好ましくは、あたかもＷｉ−Ｆｉアクセスポイントに接続しているかのように電源制御ユニットとのピアツーピア通信リンクを確立することになるが、スマートフォン１０がＷｉ−Ｆｉ  Ｄｉｒｅｃｔをサポートしていたとしても、Ｗｉ−Ｆｉ  Ｄｉｒｅｃｔ接続について電源制御ユニットとネゴシエーションすることはできなくなる。
【００４４】
[0047]  電源制御ユニットを構成し制御するための好ましい方法は、関連のＰｒｏｄｕｃｔ  Ａｐｐを介したものである。Ｐｒｏｄｕｃｔ  Ａｐｐのインストール命令は、好ましくは、電源制御ユニットとともに含まれる。Ｐｒｏｄｕｃｔ  Ａｐｐは、好ましくは、スマートフォンプラットフォームすべてに共通の、同じ中央集中型ａｐｐストアインストール方法を採用する。
【００４５】
[0048]  Ｐｒｏｄｕｃｔ  Ａｐｐは、電源制御ユニットとの最良の通信リンクをシームレスに提供するワイヤレス要素と無線技術との何らかの混合せにより通信することができる。Ｐｒｏｄｕｃｔ  Ａｐｐは、好ましくは、電源制御ユニットとのワイヤレス通信リンクを開始し、サーチし、確立するために、スマートフォン１０ワイヤレス通信を制御する。Ｐｒｏｄｕｃｔ  Ａｐｐは、好ましくは、スマートフォンタッチ画面１２上のグラフィカル要素を介して、事前構成された、かつ新規の電源制御ユニットを表示することができる。
【００４６】
[0049]  Ｐｒｏｄｕｃｔ  Ａｐｐは、起動するとき、好ましくは、電源制御ユニットを走査し、最初に構成される必要がある任意の新規電源制御ユニットを識別することになる。この時点で、ワイヤレスピアツーピア接続が、スマートフォンと新規電源制御ユニットとの間にまだ確立されていない場合、好ましくは、Ｐｒｏｄｕｃｔ  Ａｐｐは、ユーザが、所望の電源制御ユニットとのワイヤレスピアツーピア接続を確立すること、ならびに電源制御ユニットが、ピアツーピアモードでの動作を継続し、依然としてＷｉ−Ｆｉ  Ｄｉｒｅｃｔアクセスポイント／グループパーティシパントまたはＳｏｆｔＡＰのみのままとすべきであるのか、ネットワークＷｉ−Ｆｉモードで動作し、クライアントとしてＷＬＡＮに接続し、ネットワークＷｉ−Ｆｉデバイスになるべきであるのか、それともワイヤレス通信部２０２によってサポートされている場合、ピアツーピアモードとネットワークＷｉ−Ｆｉモードとで同時に動作すべきであるのかどうかを決定することを可能にする。
【００４７】
[0050]  スマートフォンオペレーティングシステムが、電源制御ユニットとのピアツーピアリンクを確立するために、スマートフォンワイヤレス通信を制御することをＰｒｏｄｕｃｔ  Ａｐｐに許可していない状況においては、ユーザは、スマートフォンによって提供されるいずれかの機構を使用して、Ｐｒｏｄｕｃｔ  Ａｐｐを起動するのに先立って、電源制御ユニットとのピアツーピア通信リンクを確立することができる。
【００４８】
[0051]  ユーザは、好ましくはＷｉ−Ｆｉ  Ｄｉｒｅｃｔを利用して、新規電源制御ユニットをピアツーピアモードで動作させたい場合、好ましくは、Ｐｒｏｄｕｃｔ  Ａｐｐにおけるこのオプションを選択する。次いで、Ｐｒｏｄｕｃｔ  Ａｐｐは、ヒューマンインターフェースとしてのスマートフォンのタッチ画面１２を使用して、一連のデータ入力を通じてユーザを導く。Ｐｒｏｄｕｃｔ  Ａｐｐは、システムマイクロコントローラ２０８と通信し、初期の接続に使用された一般的なパラメータを、特有の製品として電源制御ユニットを定義する固有のパラメータに置き換える。これらには、電源制御ユニットとスマートフォンとの間のすべてのデータ転送が保護されるように特有の暗号化キーを設定することと、特有の容易に認識できる識別子に電源制御ユニット名を設定することと、スマートフォンとのセキュアなリンクを確立するのに使用される、電源制御ユニットにおけるパスワードを設定することとが含まれてよい。
【００４９】
[0052]  Ｐｒｏｄｕｃｔ  Ａｐｐは、好ましくは、構成済みの電源制御ユニットを今後、識別するため、およびこの電源制御ユニットに接続するためのこれらの固有のパラメータの記録をスマートフォンメモリに保持する。
【００５０】
[0053]  一旦、セットアップ手順が完了すると、Ｐｒｏｄｕｃｔ  Ａｐｐは、好ましくは、電源制御ユニットファームウェアに「再起動する」ように命じる。アプリケーションファームウェアが再起動するとき、電源制御ユニットは、ユーザ指定のデータを使用して、それ自体の特有の属性情報を設け、作成することになる。この属性情報を設定するのに使用されたスマートフォンは、新規の固有のパラメータが知られているので、その電源制御ユニットに自動的に接続できることになる。スマートフォンオペレーティングシステムが許可する場合には、好ましくは、Ｐｒｏｄｕｃｔ  Ａｐｐは、ユーザがＰｒｏｄｕｃｔ  Ａｐｐにおけるその特定のデバイスを選択するたびに、電源制御ユニットとの通信リンクを自動的に確立するのに使用され得る。
【００５１】
[0054]  一旦、ある電源制御ユニットが構成されると、いずれの他のスマートフォンも、ユーザがその特定の電源制御ユニットに今や特有である固有のパラメータを知っている場合しか、電源制御ユニットと接続することができない。第２のスマートフォンがＷｉ−ＦｉアクセスポイントまたはＷｉ−Ｆｉ  Ｄｉｒｅｃｔデバイスをサーチする場合、第２のスマートフォンは、それが「セキュア」であるという特性を備える構成済みの電源制御ユニットを知ることになる。それに接続するには、ユーザは、その電源制御ユニットに割り当てられた固有のパスワードを知っていなくてはならず、そうでなければ、電源制御ユニットは、通信リンクを確立することができなくなる。パスワードが知られており、要求されたときにスマートフォンに入力される場合、第２のスマートフォンと電源制御ユニットとの間の通信リンクが確立されることになる。Ｐｒｏｄｕｃｔ  Ａｐｐは、依然として、好ましくは、電源制御ユニットを制御するのに必要であり、これは、適用例の性質に応じて追加のセキュリティ対策を有し得る。
【００５２】
[0055]  ピアツーピアモードで新規にインストールされた電源制御ユニットを構成する代わりに、ユーザが、電源制御ユニットをネットワークＷｉ−Ｆｉモードで動作させるように選択する場合、これは、所要のオプションとして選択され、Ｐｒｏｄｕｃｔ  Ａｐｐは、電源制御ユニットがクライアントとして接続するのに利用できる１つまたは複数のＷＬＡＮがあるかどうかを決定する。Ｐｒｏｄｕｃｔ  Ａｐｐは、電源制御ユニットがクライアントとしてＷＬＡＮに接続することができるように、ユーザに、好ましいネットワークを確認するように要求し、ユーザに、ネットワークパスワードなどの任意の必要なネットワークパラメータを確認および／または入力するように求める。
【００５３】
[0056]  Ｐｒｏｄｕｃｔ  Ａｐｐは、スマートフォンを介して、システムマイクロコントローラ２０８と通信し、ネットワーク上の電源制御ユニットを独自に識別する任意のパラメータを含み得る、電源制御ユニットがネットワークＷｉ−Ｆｉデバイスとしてそれ自体を確立するのに必要とされるパラメータを設定する。適切なパラメータがすべて知られており更新されるとき、Ｐｒｏｄｕｃｔ  Ａｐｐは、電源制御ユニットにネットワークＷｉ−Ｆｉデバイスとして再起動するように命じる。次いで、電源制御ユニットは、クライアントとしてＷＬＡＮに接続し、ＷＬＡＮアクセスポイントを介して、スマートフォンＰｒｏｄｕｃｔ  Ａｐｐによってアクセス可能である。次いで、ネットワークＷｉ−Ｆｉクライアントとして動作する電源制御ユニットは、同じＷＬＡＮ上の他のスマートフォンによって制御され得る。１つの好ましい実施形態においては、パスワード保護などの追加のセキュリティ対策、Ｐｒｏｄｕｃｔ  Ａｐｐを含むソケットレイヤ、または電源制御ユニットが許諾なしにネットワーク上の他のデバイスによって制御されないようにするための他の対策を、電源制御ユニットが含むことが望ましい場合がある。
【００５４】
[0057]好ましくは、スマートフォンが電源制御ユニットのワイヤレス信号から、電源制御ユニットが、ＷＬＡＮネットワーククライアントとして構成され得る新規ワイヤレスデバイスであることを決定するように構成されている場合、スマートフォンは、好ましくは、ユーザが、知られているＷＬＡＮネットワークの必要なネットワークパラメータをスマートフォンのメモリからピアツーピア通信リンクをワイヤレスで使用する電源制御ユニットに自動的に入力して、知られているＷＬＡＮネットワークのネットワーククライアントとして電源制御ユニットを自動的に構成することを可能にする。好ましくは、スマートフォンはまた、スマートフォンが、適切なａｐｐストアから電源制御ユニットの関連のＰｒｏｄｕｃｔ  Ａｐｐを自動的にダウンロードすることを可能にする製品識別子を電源制御ユニットのワイヤレス信号から決定できる場合もある。
【００５５】
[0058]  電源制御ユニットが、一旦、ピアツーピアデバイスとしてまたはネットワークＷｉ−Ｆｉデバイスとして構成されると、電源オフされ、次いで、再度、オンされた後でも、そのモードで引き続き動作することは好ましい。各モードの固有の動作パラメータはすべて、好ましくは、不揮発性メモリに保存され、電源が取り外される場合、保持される。電源が復元されるとき、システムマイクロコントローラ２０８は、電源が取り外される前に動作していたのと同じＷｉ−Ｆｉモードで電源投入し、適切なファームウェアと動作パラメータとが、不揮発性メモリから復元される。
【００５６】
[0059]  ピアツーピアモードとネットワークＷｉ−Ｆｉモードとを同時に実行する電源制御ユニットが望ましい適用例がある。この状況においては、Ｐｒｏｄｕｃｔ  Ａｐｐを介してユーザは、好ましくは、両方のモードをアクティブにすることができ、それにより、いずれのモードも使用が可能になる。同様に、ユーザは、Ｐｒｏｄｕｃｔ  Ａｐｐを介して、モードのうちの一方を無効にするように選択することも、またはピアツーピアモードからネットワークＷｉ−Ｆｉモードに、もしくは必要に応じてその逆に変更することもできる。
【００５７】
[0060]  Ｗｉ−Ｆｉモードが変更されるたびに、新規モードのパラメータは、電源が遮断または損失される場合に、好ましくは、システムマイクロコントローラ２０８によって保持される。電源が復元されるとき、システムマイクロコントローラ２０８は、電源が取り外される前の、以前、動作していたのと同じＷｉ−Ｆｉモードで電源投入し、適切な動作パラメータが、不揮発性メモリから復元される。したがって、システムマイクロコントローラ２０８は、好ましくは、不揮発性メモリから復元され得る適合型デフォルト設定により構成されている。
【００５８】
[0061]  電源制御ユニットが完全にリセットされる必要がある場合があるときもあり得ることが想定される。Ｐｒｏｄｕｃｔ  Ａｐｐは、好ましくは、電源制御ユニットと通信し、その電源制御ユニットに、工場デフォルト構成に再初期化するように命じることができる。この場合、電源制御ユニットにロードされたユーザ定義のパラメータすべてが失われ、電源制御ユニットは、新規ユーザ定義のパラメータを受け取る準備ができたその工場デフォルト状態に戻される。
【００５９】
[0062]  電源制御ユニットは、スイッチ、ボタン、または容量性／近接タッチパッドの形態でヒューマンインターフェースを組み込んでいることができ、ユーザは、そのヒューマンインターフェースを使用して、電源制御ユニットに、制御機能を行わせること、スマートフォンもしくはＰｒｏｄｕｃｔ  Ａｐｐを使用せずに工場デフォルト構成に再初期化させること、システムをリブートさせること、またはＷｉ−Ｆｉ  Ｐｒｏｔｅｃｔｅｄ  Ｓｅｔｕｐを補助させることができることになる。必要ならば、電源制御ユニットは、デバイスそれ自体に対するいずれの手動入力もなしに動作するように構成され得る。
【００６０】
[0063]  １つの好ましい実施形態においては、ワイヤレス通信部２０２は、Ｗｉ−Ｆｉ  ＤｉｒｅｃｔおよびネットワークＷｉ−Ｆｉ性能に加えて、Ｂｌｕｅｔｏｏｔｈ通信性能を含むことができる。図３を参照すると、スマートフォン１０と電源制御ユニット２００との間のピアツーピアＢｌｕｅｔｏｏｔｈ通信リンクが、Ｗｉ−Ｆｉ  ＤｉｒｅｃｔもしくはネットワークＷｉ−Ｆｉ通信リンクを確立するためのパラメータを入力するため、またはＷｉ−Ｆｉ  ＤｉｒｅｃｔもしくはネットワークＷｉ−Ｆｉ通信リンクを開くために、Ｐｒｏｄｕｃｔ  Ａｐｐによって使用され得、あるいはそれ自体で、Ｐｒｏｄｕｃｔ  Ａｐｐと電源制御ユニット２００との間でデータを交換するためのピアツーピア通信リンクとして動作することができる。Ｐｒｏｄｕｃｔ  Ａｐｐ、またはタッチパッド、ボタン、もしくはスイッチの形態での電源制御ユニット上のヒューマンインターフェースは、アクセスアドミニストレータ２００とスマートフォン１０との間のＢｌｕｅｔｏｏｔｈピアツーピア接続の確立を容易にすることができる。Ｐｒｏｄｕｃｔ  Ａｐｐは、ユーザが、電源制御ユニット２００とスマートフォン１０との間の好ましいピアツーピア通信方法としてＢｌｕｅｔｏｏｔｈを指定することができるように構成され得る。Ｂｌｕｅｔｏｏｔｈ接続は、好ましくは、選定されたＢｌｕｅｔｏｏｔｈ標準にネイティブな、セキュア伝送方法およびプロトコルを利用する。
【００６１】
[0064]  スマートフォン１０および電源制御ユニット２００が、ピアツーピアＷｉ−Ｆｉの専有実装形態またはＷｉ−Ｆｉ  Ｄｉｒｅｃｔの適合形態を使用する場合、電源制御ユニット２００およびスマートフォン１０は、好ましくは、そのピアツーピアＷｉ−Ｆｉの専有実装形態またはＷｉ−Ｆｉ  Ｄｉｒｅｃｔの適合形態に特定のハンドシェイク、ネゴシエーション方法、プロトコル、および構成要件を使用するように構成され、何らかのハードウェア、ソフトウェア、ファームウェア、または必要な認証スキームを組み込むことができ、Ｂｌｕｅｔｏｏｔｈを使用して、サポートされる場合の処理を容易にすることができる。
【００６２】
[0065]  １つの好ましい実施形態においては、電源制御ユニットは、Ｐｒｏｄｕｃｔ  Ａｐｐが、最初に新規電源制御ユニットと通信してＷｉ−Ｆｉ  Ｄｉｒｅｃｔを自動的に確立するときに、ＮＦＣをサポートするスマートフォンにおけるＢｌｕｅｔｏｏｔｈまたは他のピアツーピア通信リンクを使用することが可能になるＮＦＣ性能を含むことができる。この処理は、一般に、「ブートストラッピング（bootstrapping）」と呼ばれ、当業者によって知られている、通信を初期化するための確立された方法である。
【００６３】
[0066]  図２に戻って参照すると、ユーザは、その最も単純な形態のＰｒｏｄｕｃｔ  Ａｐｐを使用して、システムマイクロコントローラ２０８に、電源制御回路２１２を作動させて電源を電気デバイス２１４に供給する、または電気デバイス２１４への電源を遮断するように命じることができる。Ｐｒｏｄｕｃｔ  Ａｐｐはまた、好ましくは、より複雑な機能およびスケジューリングを用いて電源制御ユニット２００をプログラミングできるように構成されている。プログラミングされた時間依存的動作は、好ましくは、カウントダウンタイマなど、トリガイベントからのタイミング付けられたシーケンスとして、あるいは所定の日付、および／または単一の、継続的な、もしくは定められた期間の一日のうちの時刻における指定されたタスクとして、システムマイクロコントローラ２０８によって実行される。単一のまたは複数のイベント起動および停止の時刻、選択された日のタイマ、反復タイマ、週間タイマ、組合せタイマ、具体的な日付タイマ、ならびに多くの他の機能が、本開示の範囲内ですべて可能であり、企図される。
【００６４】
[0067]  恒久クロックカレンダ２０４の絶対時刻および日付のパラメータは、好ましくは、通信リンクが確立されるとき、スマートフォン１０の時刻および日付のパラメータと同期される。
【００６５】
[0068]  電気デバイス２１４が一連のセグメント化発光技術から成る照明要素を含む場合、セグメント化発光技術からの光の強度は、好ましくは、システムマイクロコントローラ２０８および電源制御回路２１２によって別々に、かつ個々に制御可能である。
【００６６】
[0069]  １つの好ましい実施形態においては、電気デバイス２１４は、混色処理を通じて、異なる色のスペクトルを生成することができる一連の有色発光ダイオード（LED）から成る発光要素を含んでよい。混色は、一般には、赤色、緑色、および青色のＬＥＤの組合せの強度または光出力を変更することにより、固有の色を生成することを含んでいる。本開示は、一連の有色ＬＥＤを使用する能力に期待してはいるが、赤色、緑色、および青色のＬＥＤの使用に特に限定されず、所望の混色およびスペクトル性能を達成するために、白色ならびに／または有色の発光技術の任意の混合を使用してよい。
【００６７】
[0070]  色を選定する、または色を変更するユーザのために、Ｐｒｏｄｕｃｔ  Ａｐｐは、好ましくは、照明要素が生成することができる色のスペクトルの近似物を表す視覚インターフェースを提供する。ユーザがＰｒｏｄｕｃｔ  Ａｐｐにおける色を選択する場合、Ｐｒｏｄｕｃｔ  Ａｐｐは、好ましくは、現在の輝度レベルにおけるユーザの選定した色の近似物を送達するのに必要とされる照明要素における構成要素の色の強度を計算する。Ｐｒｏｄｕｃｔ  Ａｐｐは、好ましくは、システムマイクロコントローラ２０８に、電源制御回路２１２を変更して、Ｐｒｏｄｕｃｔ  Ａｐｐにおけるユーザによって選定された近似物を表す最も近い照明色を生成するために、照明要素における各構成要素の色に対して必要な電源を供給するように命じる。
【００６８】
[0071]  １つの好ましい実施形態においては、構成要素の混色の計算は、好ましくは、Ｐｒｏｄｕｃｔ  Ａｐｐではなくむしろ、電源制御ユニット２００におけるシステムマイクロコントローラ２０８または専用の混合構成要素によって対処され得る。
【００６９】
[0072]  １つの好ましい実施形態においては、電源制御ユニット２００は、センサモジュール２０６を含むことができる。図２に示されるように、センサモジュール２０６は、好ましくは、周囲光センサ、および近接センサを含む。別段の言及がない限り、センサモジュール２０６は、周囲光センサおよび近接検出器を含んでいるかのように説明されることになるが、本開示はそのように限定されない。
【００７０】
[0073]  システムマイクロコントローラ２０８を使用して、トリガイベントが電源制御回路２１２を作動させるために発生したかどうかを決定することができる周囲光の正確な測定および閾値の設定によって、タスクの範囲の自動化が大いに容易にされ得ることは認識され得る。例にすぎないが、これは、日暮れ時および／または明け方時にライトをオンおよびオフするための閾値として周囲光レベルを設定することとなり得る。
【００７１】
[0074]  Ｐｒｏｄｕｃｔ  Ａｐｐを通じてユーザは、好ましくは、システムマイクロコントローラ２０８が関連のタスクを実行するためのトリガとして使用することが可能な周囲光閾値を設定できる。周囲光閾値は、Ｐｒｏｄｕｃｔ  Ａｐｐに事前に記憶されていることができ、または電源制御ユニット２００とのワイヤレス通信リンクを通じてＰｒｏｄｕｃｔ  Ａｐｐは、センサモジュール２０６に、すぐそばの周囲光測定を要求して、閾値として使用してもよい。閾値としてＰｒｏｄｕｃｔ  Ａｐｐにおいて設定された任意の周囲光レベルは、好ましくは、電源制御ユニット２００の不揮発性メモリに記憶され、センサモジュール２０６がトリガイベントの閾値と一致する状態を報告していることをシステムマイクロコントローラ２０８が決定するとき、電源制御回路２１２を作動させるためにシステムマイクロコントローラ２０８によって使用され得る。
【００７２】
[0075]  システムマイクロコントローラ２０８は、好ましくは、誤検出状態の可能性を低減するように設計されたものを含むことが可能になる時間ベースの修正器、フィルタ、および／または処理と組合せ可能な複数の異なる閾値、トリガ、およびシーケンシングを処理することができる。例にすぎないが、システムマイクロコントローラ２０８は、指定された周囲光閾値において電源制御回路２１２を作動させるようにＰｒｏｄｕｃｔ  Ａｐｐによってプログラミングされ得る。システムマイクロコントローラ２０８は、好ましくは、周囲光閾値が一致していること、および一時的にセンサモジュール２０６を覆うものなどの中間的状態に起因していないことを確実にするために、ある時間期間にわたって、センサモジュール２０６からの測定結果を分析する。別の例としては、システムマイクロコントローラ２０８は、一日のある特定の時刻の後の閾値のみをトリガイベントとして使用するようにＰｒｏｄｕｃｔ  Ａｐｐによってプログラミングされ得る。そのやり方においては、ユーザは、およそ午後５時過ぎの周囲光測定結果のみを使用するように電源制御ユニットを設定することが可能になる。別の例としては、センサモジュール２０６がスペクトル分析性能を含む場合、閾値が、周囲光測定のスペクトル分析に基づいて指定され得る。これは、周囲光閾値が、人工照明からの干渉なしに自然光のレベルから決定されることを可能にする、当業者に知られているフィルタリングの形態である。別の例としては、システムマイクロコントローラ２０８は、時間ベースの修正器の使用の有無にかかわらず、電源制御回路２１２を、指定された周囲光閾値においてはオンにし、異なる周囲光閾値においてはオフにするようにプログラミングされ得る。これは、種々の閾値の測定が行われる一日の実際の時刻を設定すること、またはある閾値イベントの後の、システムマイクロコントローラ２０８が次の閾値イベントについての走査を起動する時間期間を指定することによって可能になる。
【００７３】
[0076]  １つの好ましい実施形態においては、センサモジュールは、好ましくは、単一の一体化された構成要素であり、しかしながら、いくつかの実施形態においては、個別の周囲光センサおよび／または個別の近接センサを使用することが好ましいことがある。いくつかの好ましい実施形態においては、近接検出器は、省略されることも、かつボタンまたはスイッチと置き換えられることもある。いくつかの好ましい実施形態においては、周囲光センサは、省略されることがある。１つの好ましい実施形態においては、電源制御ユニット２００は、センサモジュール２０６を含んでいないことがある。
【００７４】
[0077]  センサモジュール２０６が近接センサとともに構成されている場合、近接センサは、好ましくは、普通なら機械的または電気機械的スイッチによって行うことができるタスクを開始するように構成されている。例にすぎないが、電源制御ユニット２００は、あたかも機械的スイッチがアクティブにされたかのように、システムマイクロコントローラ２０８が電気デバイス２１４への電源を変更する際の電源制御回路２１２を作動させるトリガとして使用することができる、電源制御ユニット２００へのユーザの手の接近および／またはタッチなどの近接イベントについて、センサモジュール２０６における近接検出器を監視するようにＰｒｏｄｕｃｔ  Ａｐｐによってプログラミングされ得る。近接イベントは、近接検出器からの所定の距離内の近接度などの、所定の近接閾値未満の近接度検出とすることができる。所定の距離は、ほんの例にすぎないが、建物の中の１つの部屋、玄関、廊下、または開放的な場所内のいずれかとして構成され得る。所定の距離は、具体的には、たとえば、１ｃｍから１ｍまで、またはより好ましくは、０ｃｍから１５ｃｍの間の近接検出器からの範囲について較正され得る。近接イベントを検出すると同時に、システムマイクロコントローラ２０８は、電源制御回路２１２を作動させて、ユーザ定義の時間期間、およそ３０分の間、電気デバイス２１４に電源を供給することができる。そのやり方においては、電源制御ユニットは、たとえば、ユーザがタッチする、または電源制御ユニットによって検出されるときの設定済み時間期間の間の夜間にしか電灯をアクティブにしないように使用可能になり、それによって、照明を継続的に動作させないことで相当な電源が節約される。
【００７５】
[0078]  電源、ライト、および自動化の管理は、より広範なエネルギー保存方策の一部であることが多い。その理由から、継続的に電源を引いてワイヤレス通信を実行させることではなくむしろ、ユーザが、ワイヤレス通信リンクを確立することを望むときにのみ、電源制御ユニット２００は、そのワイヤレス通信をアクティブにすることが望ましいことがある。１つの好ましい実施形態においては、Ｐｒｏｄｕｃｔ  Ａｐｐを介して、ユーザは、センサモジュール２０６による近接イベントの検出時のみ、ワイヤレス通信／制御モジュール２０２はアクティブにすると指定することができる。好ましくは、電源制御ユニット２００の正面で、および／もしくは付近で、ならびに／または電源制御ユニット２００にタッチするユーザの手を検出し、近接イベントが発生したという制御信号をシステムマイクロコントローラ２０８に送るために、センサモジュール２０６の近接検出器性能が使用される。近接イベントが発生したという決定と同時にシステムマイクロコントローラ２０８は、好ましくは、ワイヤレス通信部２０２を初期化して、それにより、スマートフォン１０は、ワイヤレス通信リンクを確立することが可能になる。システムマイクロコントローラ２０８は、好ましくは、近接イベントの後の事前に定められたアクティブ期間の間のみ、ワイヤレス通信部を実行し、ワイヤレス通信リンクがその期間中に確立されなかった場合、ワイヤレス通信部を受動的なスリープ状態に戻すことになる。ワイヤレス通信リンクが、事前に定められたアクティブ期間の間に確立された場合、システムマイクロコントローラ２０８は、好ましくは、通信リンクがアクティブである間はワイヤレス通信部をアクティブに保ち、通信リンクが終了後短時間にスリープ状態に戻ることになる。
【００７６】
[0079]  １つの好ましい実施形態においては、継続的に電源を引いてワイヤレス通信を実行させることではなくむしろ、ユーザが、ワイヤレス通信リンクを確立することを望む場合に、物理ボタンが、電源制御ユニット２００のワイヤレス通信部をアクティブにするのに使用され得る。
【００７７】
[0080]  いくつかの洗練された、かつ複雑な自動化および制御のスキームは、システムマイクロコントローラ２０８の処理性能と、恒久クロックカレンダ２０４のタイミング付け性能およびセンサモジュール２０６の感知性能とを組み合わせることによって、電源制御ユニット２００内にプログラミング可能であることが認識され得る。
【００７８】
[0081]  １つの好ましい実施形態においては、電源制御回路２１２は、単純なオン／オフ方式で電気デバイス２１４への電源供給を変更するように構成された単一の半導体スイッチもしくは継電器、または電気機械的継電器を含むことができる。別の好ましい実施形態においては、電源制御回路２１２は、単純なオン／オフ方式で、別々にまたはグループ化された種々のデバイスへの電源供給を変更するように構成された、いくつかの継電器を含むことができる。別の好ましい実施形態においては、電源制御回路２１２は、照明要素における個々の構成要素への、もしくは様々な照明要素への電源供給を変更するように構成された任意の数および混合せの半導体スイッチ、ミキサ、継電器、または電気機械的継電器を含むことができる。別の好ましい実施形態においては、電源制御回路２１２は、１つの減光制御部または複数の減光制御部を含むことができる。減光制御部は、照明要素、または照明要素の構成要素に転送される電源の量を変更するように使用され、ここでは、それらは、光出力を、完全にオンから完全にオフまでのいずれかのところ、またはシステムマイクロコントローラ２０８によって指図されるように、適切ならば光出力の幾分中間的な範囲に変更できるようにする適切な特性を有する。システムマイクロコントローラ２０８の制御の下で電源制御回路２１２における減光を使用すると、照明要素に転送される電源の量は、調節され得る。減光制御部に提示される電気負荷は、ライトのタイプおよび構成に応じて、抵抗性、誘導性、または容量性である可能性があるので、減光ユニットは、可変電源制御の立ち上がりエッジ、立ち下がりエッジ、パルス幅変調、または他の適した方法を提供することができる。
【００７９】
[0082]  １つの好ましい実施形態においては、電源制御ユニット２００は、埋め込まれた電源制御回路２１２をまったく含まず、回路のカスタム数を、手元の適用例の特定の要件に合わせることができるようにする外部電源制御回路と完全にインターフェースをとってもよい。
【００８０】
[0083]  電源制御ユニット２００は、電源制御ユニット２００が外部電源制御回路を制御する場合、物理接続（ほんの例にすぎないが、ワイヤード接続）を通じてそうすることができ、または交互にワイヤレスリンクを使用することができる。ワイヤレス拡張の使用には、外部電源制御回路の要件に応じて、送信機、または送受信機とすることができる、電源制御ユニット２００へのサポート用無線機の追加が必要な場合がある。サポート用無線機は、いくつかの異なる搬送波周波数において動作するようにシステムマイクロコントローラ２０８によって構成され得る。データは、エンコードされたデータが、ほんの例にすぎないが、ドア機構、門扉機構、電動式ブラインドおよびオーニング機構、電動式スクリーン機構、ライトスイッチ、照明コントローラ、照明器具、電灯、照明器、電源制御機構、電源アウトレット、ファン、サーモスタットおよび空調ユニットなどの気候制御機器、自動販売機、スプリンクラーおよび散水システム、ポンプ、プールろ過システム、ガス計測および制御機器、電気メータ、周辺コンピュータ機器、家庭用電化製品、白物家電、ならびに警報システムなどのデバイスを動作させ、またはデバイスに一体化されるように構成された遠隔電源制御回路における互換性のある無線受信機または送受信機によって受信可能、デコード可能、および作用可能になるように、それらの搬送波周波数上に調節可能になる。
【００８１】
[0084]  サポート用無線機は、ＦＳＫ、ＧＦＳＫ、ＭＳＫ、ＯＯＫ、または他の変調方法の性能があり、ライセンスフリーのＩｎｄｕｓｔｒｉａｌ  Ｓｃｉｅｎｔｉｆｉｃ  ａｎｄ  Ｍｅｄｉｃａｌ（ISM）周波数を含んだ広い周波数範囲にわたって動作することができ得、またはＺｉｇＢｅｅ、Ｚ−ｗａｖｅ、Ｔｈｒｅａｄなどの固有の標準、もしくは等価な標準をサポートすることもできる。これらの仕様はほとんどのワイヤレスセンサネットワーク、ホーム／ビルディング自動化、警報システムおよびセキュリティシステム、ならびに産業用監視／制御に適用できる一方、固有の周波数および変調仕様を用いる送受信機と互換性のあるシステムが必要とされる用途がある。これらの状況においては、固有のサポート用無線機が、本明細書に説明される実施形態の範囲で設置可能になる。
【００８２】
[0085]  電源制御ユニット２００が、外部電源制御回路にあるＢｌｕｅｔｏｏｔｈ無線機および制御部とともに構成されている場合、電源制御ユニット２００および電源制御回路は、好ましくは、ＣＳＲＭｅｓｈなどのメッシュ対応のプロトコルレイヤの使用を含んだＢｌｕｅｔｏｏｔｈを利用してワイヤレスで通信することができる。
【００８３】
[0086]  上に記載の電源制御回路２１２が、本開示の範囲から逸脱することなく、多くのやり方で拡張可能であることが認識されよう。電源制御回路２１２は、ブラインド、ファン、シャッター、門扉、ドア、およびライトなどの外部デバイスを制御するように構成され得、それにより、電源制御ユニット２００は、プログラミングされたスケジュールに従って外部デバイスの範囲、およびセンサモジュールが含まれている場合の周囲光状態を管理することが可能になる。
【００８４】
[0087]  図示されてはいないが、１つの好ましい実施形態においては、電源制御ユニット２００が、電源制御回路２１２を通じて転送される電気の電気パラメータを測定できるようにする電源測定性能を含むことが望ましい場合がある。これらのパラメータは、システムマイクロコントローラ２０８にとって利用でき、瞬時電圧、電流および電力、ＩｒｍｓおよびＶｒｍｓ、平均有効および皮相電力、ならびにエネルギー対パルス変換を含み得る。測定された電気パラメータの一部またはすべてが、通信リンクを介してスマートフォン１０に送信可能になり、ここでは、Ｐｒｏｄｕｃｔ  Ａｐｐは、追加の計算、または必要ならば、変換を行うことができ、その結果を、ユーザが見るためにスマートフォンのタッチ感応式画面上にグラフィカル形式で表示できることになる。これらのパラメータの適した処理により、電気デバイス２１４によって使用されている瞬時電力などの情報を表示することが可能になる。経時的な電力使用量、使用される総電力、および傾向分析もまた、好ましくは、測定される基本電気データを有用に表したものの一部であり、ユーザに表示可能になる。スマートフォンのインターネット性能を使用することによって、Ｐｒｏｄｕｃｔ  Ａｐｐは、電力会社のレートおよび使用料にアクセスし、ユーザに使用量および費用の比較結果を提供することが可能になる。
【００８５】
[0088]  電源測定を含むことにより、単純な計測以外のより進歩した機能を電源制御ユニット２００によって提案することが可能になる。１つの好ましい実施形態においては、システムマイクロコントローラ２０８は、電源測定回路を通じて様々な電気パラメータを継続的に測定することができ、この電源測定回路により、システムマイクロコントローラ２０８は、電源制御回路２１２に、電気デバイス２１４に対する電源を抑えさせ、または削減させて、電源制御ユニット２００と電気デバイスをともに保護するために、可能なエラー状態を検出することが可能になる。別の好ましい実施形態においては、電源測定回路を通じて、システムマイクロコントローラ２０８は、正常動作閾値を確立するために、動作負荷の下で電源制御回路２１２の測定を行うことができる。システムマイクロコントローラ２０８は、周期的にまたは継続的に電源測定回路を監視し、動作閾値からの何らかの偏差をＰｒｏｄｕｃｔ  Ａｐｐに報告することが可能になる。例にすぎないが、これは、電源制御回路２１２に接続された一群のライトの動作負荷を測定するのに使用可能になり、Ｐｒｏｄｕｃｔ  Ａｐｐを通じてユーザが、各照明器を調べることの必要よりもむしろ、いずれかのライトが、消費されている電源の変化に基づいて浪費していたかどうかを決定することが可能になる。
【００８６】
[0089]  上に記載のシステムは、本開示の範囲から逸脱することなく、多くのやり方で変更可能であることは当業者によって認識されよう。例にすぎないが、ワイヤレス通信部２０２、システムマイクロコントローラ２０８、および恒久クロックカレンダ２０４の要素は、単一の構成要素に集約されても、または様々なＳｏＣもしくはＳｉＰに分離されてもよい。センサモジュール２０６は、電源制御デバイス２００にワイヤ接続されても、またはワイヤレスで接続されてもよい。たとえば、センサモジュールが、部屋の一部分に置かれていても、電源制御デバイスが、部屋の別の場所にあってよい。複数のセンサが利用され得る。たとえば、周囲光センサが、構造体またはビルディング全体にわたって複数の部屋に配置されてよい。光または近接以外のセンサが使用されてよい。たとえば、動き、温度、および／またはマイクロフォンが、必要ならば、利用されてもよい。センサモジュールは、光、近接、動き、温度、および／または音響センサの何らかの組合せを含むことができる。
【００８７】
[0090]  図３は、スマートフォン１０、Ｗｉ−Ｆｉ  ＷＬＡＮアクセスポイント１４、インターネット接続部１６、電源制御ユニット２００、および要素のそれぞれを接続する通信システムの例示的な構成を示すシステム１００を表す図である。Ｗｉ−Ｆｉ  ＷＬＡＮは、アクセスポイント１４を有する。アクセスポイント１４は、インターネット接続部１６を有する。ＷＬＡＮ通信は、好ましくは、アクセスポイント１４を通過する。電源制御ユニット２００がネットワークＷｉ−Ｆｉモードで動作するように構成されている場合、電源制御ユニット２００は、好ましくは、アクセスポイント１４のクライアントとして動作する。ネットワークＷｉ−Ｆｉクライアントとして動作する電源制御ユニット２００と通信するスマートフォン１０の場合、スマートフォン１０もまた、好ましくは、クライアントとしてアクセスポイント１４に接続しなくてはならない。その場合、スマートフォン１０からのメッセージは、アクセスポイント１４を通って電源制御ユニット２００に入ることが可能になる。スマートフォン１０が、アクセスポイント１４のワイヤレス範囲になかった場合でも、スマートフォン１０は、そのように構成されているならば、インターネット接続部１６を介して依然としてアクセスポイント１４と通信することができ得る。インターネット接続部を経由するスマートフォンとアクセスポイントとの通信は、当業者によってよく理解されるであろう。 
【００８８】
[0091]  ネットワークＷｉ−Ｆｉモードで動作することに加えて、またはその代わりに、電源制御ユニット２００は、好ましくはＷｉ−Ｆｉ  Ｄｉｒｅｃｔを利用して、ピアツーピアモードで動作するように構成され得る。その事例においては、スマートフォン１０は、他のデバイスを何ら必要とせずに、電源制御ユニット２００ピアツーピアに直接ワイヤレスで接続することができる。したがって、（１）アクセスポイント１４は、ピアツーピア通信には必要でないこと、（２）通信リンクは、「必要に応じて（as needed）」方式で形成されること、および（３）スマートフォン１０は、ダイレクト通信リンクを確立するために電源制御ユニット２００の無線範囲内にある必要があること、がわかり得る。望ましい場合には、スマートフォン１０と電源制御ユニット２００と間のピアツーピア接続は、Ｂｌｕｅｔｏｏｔｈを用いることによる、または電源制御ユニット２００がＷｉ−Ｆｉアクセスポイントをシミュレーションする、もしくはＳｏｆｔＡＰとして動作することによるものになり得る。
【００８９】
[0092]  ネットワークＷｉ−Ｆｉ接続およびＷｉ−Ｆｉ  Ｄｉｒｅｃｔ接続が便利さとセキュリティとの異なる混合せを提案することが認識され得る。ネットワークＷｉ−Ｆｉデバイスとして動作する電源制御ユニットは、アクセスポイント１４がインターネット接続部１６を有する場合にスマートフォンによって遠隔から制御可能であり、しかしながら、その場合、電源制御ユニットは、外の世界に露出されることになり、ハッキングなどの外的脅威を受けやすい可能性がある。あるいは、その制限されたワイヤレス範囲およびピアツーピアアーキテクチャのおかげでＷｉ−Ｆｉ  Ｄｉｒｅｃｔ接続は、より高いレベルのセキュリティを提案している。動作モード間のバランスは、通常、主観的であり、手元の適用例に依存している。いくつかの事例においては、ＷＬＡＮの利用可能性などのインフラストラクチャ制限は、動作モードをさらに制約する場合がある。
【００９０】
[0093]  電源制御ユニット２００は、好ましくは電源制御ユニット２００が、Ｐｒｏｄｕｃｔ  Ａｐｐに報告してスマートフォン画面１２上に表示することができるアクセスポイント１４の受信済み信号強度インジケータ、または受信済みチャネル電力インジケータを提供するように構成され得る。受信済み信号強度インジケータ、または受信済みチャネル電力インジケータは、受信済み無線信号に存在する電力の測定結果であり、安定的および信頼的な通信リンクの最良の環境を提供するのに、十分に強いワイヤレス信号が２つのデバイス間に存在することを確実にするために、ユーザが、アクセスポイント１４にほぼ近い電源制御ユニット２００などのワイヤレス製品を位置特定することを可能にする。Ｐｒｏｄｕｃｔ  Ａｐｐはまた、好ましくは、スマートフォン１０によって測定された電源制御ユニット２００についての受信済み信号強度インジケータ、または受信済みチャネル電力インジケータをスマートフォン画面１２上に表示する。
【００９１】
[0094]  必要ならば、電源制御ユニット２００は、電源制御ユニット２００が測定することができ得る何らかのワイヤレス信号についての受信済み信号強度指示を表示することができる仮想インジケータとともに構成され得る。
【００９２】
[0095]  ワイヤレス通信部２０２ならびにそのマルチモードピアツーピアおよびネットワーク通信の性能の適合型性質により、電源制御デバイスを、Ｗｉ−Ｆｉネットワークの使用の有無にかかわらず、スマートフォンと通信するためのいくつかの異なるやり方で構成することが可能になることは認識され得る。例としては、スマートフォン１０、電源制御ユニット２００、およびＰｒｏｄｕｃｔ  Ａｐｐは、好ましくは、スマートフォン１０がアクセスポイント１４とのＷＬＡＮ接続を接続解除する必要なしに、電源制御ユニットの制御を可能にするそれらの通信経路のみを利用するように構成され得る。そのやり方においては、電源制御ユニット２００はまた、アクセスポイント１４のクライアントとして構成され得、しかしながら、常に、電源制御ユニット２００をアクセスポイント１４のクライアントとして構成することが可能であるとも、または望ましいとも限らない可能性がある。その事例においては、スマートフォン１０と電源制御ユニット２００との間の通信は、電源制御ユニット２００およびスマートフォン１０によってサポートされるピアツーピア通信標準を利用する必要があることになる。スマートフォン１０が、並行するＷｉ−Ｆｉ  ＤｉｒｅｃｔおよびネットワークＷｉ−Ｆｉをサポートする場合、Ｗｉ−Ｆｉ  Ｄｉｒｅｃｔとともに構成された電源制御ユニット２００、およびスマートフォン１０は、好ましくは、Ｗｉ−Ｆｉ  Ｄｉｒｅｃｔ通信リンクを形成することが可能になり、それにより、スマートフォン１０は、アクセスポイント１４に接続されながら、同時に電源制御ユニット２００にピアツーピア接続されることを維持することが可能になる。スマートフォン１０がＷｉ−Ｆｉ  Ｄｉｒｅｃｔをサポートしていない場合には、電源制御ユニット２００は、Ｗｉ−Ｆｉアクセスポイントとして見えることが好ましく、しかしながら、スマートフォンが２つのアクセスポイントに同じ時に接続することは、通常、可能ではないが、いくつかのスマートフォンがアクセスポイントおよびＳｏｆｔＡＰ、またはシミュレーションされたアクセスポイントに同じ時に接続することはでき、それにより、スマートフォン１０は、アクセスポイント１４に接続されたまま、Ｗｉ−Ｆｉアクセスポイントをシミュレーションする、またはＳｏｆｔＡＰとして動作する電源制御ユニット２００に接続することが可能になる。スマートフォン１０がアクセスポイント１４と、Ｗｉ−Ｆｉアクセスポイントをシミュレーションする電源制御ユニット２００とに同時に接続することができない場合には、電源制御ユニット２００は、好ましくは、Ｂｌｕｅｔｏｏｔｈを使用してスマートフォン１０とピアツーピア通信するように構成され得る。
【００９３】
[0096]  １つの好ましい実施形態においては、Ｐｒｏｄｕｃｔ  Ａｐｐは、好ましくは、スマートフォンのセルラまたはネットワークＷｉ−Ｆｉの性能を使用して、インターネット接続部１６およびアクセスポイント１４を通じて電源制御ユニット２００の遠隔制御および問合せを容易にするために、外部サービスプロバイダとデータを交換することができ得、ここで、電源制御ユニット２００は、アクセスポイント１４のネットワーククライアントとして動作する。
【００９４】
[0097]  本開示の好ましい形態においては、（当業者によって一般に理解される）ＩＥＥＥ８０２．１１アドホックモードを利用する通信リンクまたはモードは、本明細書によって明示的に除外される。
【００９５】
[0098]  次に、図４を参照すると、本開示の好ましい実施形態におけるスマートフォン１０によるネットワークＷｉ−Ｆｉデバイスとしての電源制御ユニット２００を構成するための例示的な構成手順３００が示されている。構成手順３００は、スマートフォンオペレーティングシステムとの関係において説明されているが、構成手順３００は、そのように限定されず、Ｐｒｏｄｕｃｔ  Ａｐｐによって行うことができ、ここで、Ｐｒｏｄｕｃｔ  Ａｐｐは、必要に応じて、スマートフォンワイヤレス通信を制御することができる。
【００９６】
[0099]  工程３０２では、スマートフォン１０は、図３におけるＷｉ−Ｆｉネットワークアクセスポイント１４などのネットワークアクセスポイントに接続される。工程３０４では、電源が最初に電源制御ユニット２００に与えられ、それにより、電源制御ユニット２００は、そのシステムのすべてを実行することが可能になる。工程３０６では、ネットワークアクセスポイントをシミュレーションする、またはＳｏｆｔＡＰとして動作するように構成されたワイヤレス通信モジュール２０２が、そのネットワーク情報をワイヤレスでビーコンし始める。ワイヤレスビーコンは、好ましくは、識別子を含み、この識別子は、識別子を解釈するように構成されたＷｉ−Ｆｉデバイスに、未構成のＷｉ−Ｆｉネットワークデバイスとして電源制御ユニット２００を報告する。工程３０８では、スマートフォンのワイヤレス送受信機を通じてスマートフォンオペレーティングシステムは、電源制御ユニット２００ビーコンを受信し、電源制御ユニットが未構成の電源制御ユニットであることをビーコンにおける識別子から決定し、新規で、かつ未構成の電源制御ユニットを検出したことをユーザにスマートフォンタッチ画面を介して報告する。工程３１０では、スマートフォンオペレーティングシステムは、知られているネットワーク、好ましくはスマートフォン１０が現在、接続されているネットワークに、電源制御ユニット２００をユーザが加わらせたいのかどうかをユーザに尋ねる。工程３１２では、ユーザは、スマートフォン画面上のタッチ入力を通じて、自分は、スマートフォンオペレーティングシステムによって知られているネットワークに未構成の電源制御ユニットを加わらせたいことを確認する。
【００９７】
[00100]  工程３１４では、スマートフォンオペレーティングシステムは、スマートフォン１０とシステムマイクロコントローラ２０８との間の通信リンクを確立する際、もしくはネットワーククライアントとして構成中に使用されることになる固有の名前を未構成の電源制御ユニット２００に与える際に使用されるセキュリティコードなど、望ましく、または所要のパラメータを入力するようにユーザに要求することができる。工程３１４は、スマートフォン１０によって知られているネットワークのネットワーククライアントとしてのスマートフォン１０による電源制御ユニット２００の構成に、最も速く、最も容易な機構を提供することが望ましい場合、または電源制御ユニット２００が構成され、クライアントとしてネットワークに接続された後に、電源制御ユニット２００に特有の名前を与えるなどの工程３１４の要素が行われ得る場合、実行可能であることが認識され得る。
【００９８】
[00101]  工程３１６では、スマートフォンオペレーティングシステムは、好ましくはネットワークアクセスポイントをシミュレーションする、またはＳｏｆｔＡＰとして動作するように構成された電源制御ユニット２００とのセキュアなピアツーピアワイヤレス接続を確立する。セキュアなピアツーピア接続を開くことは、電源制御ユニット２００およびスマートフォン１０内に集積化された認証ハードウェア、ファームウェア、またはソフトウェアの利用を含むことができ、それにより、電源制御ユニット２００は、任意のセキュリティ認証情報を手動で入力するようにユーザに要求することなしに、認証ハンドシェイクを利用して、スマートフォン１０とのセキュアな接続を自動的に確立することができる。スマートフォン１０が、ネットワークアクセスポイントとの同時接続、および電源制御ユニット２００など、ネットワークアクセスポイントをシミュレーションする、またはＳｏｆｔＡＰとして動作するデバイスをサポートすることができない場合には、スマートフォン１０は、電源制御ユニット２００とのセキュアなピアツーピア接続を確立するために、ネットワークアクセスポイントから接続解除することができることは認識され得る。
【００９９】
[00102]  工程３１８では、スマートフォンオペレーティングシステムは、ネットワークパスワード、および任意の他の望ましく、または必要なパラメータを含んだ、知られているネットワークのネットワーク認証情報を用いて電源制御ユニット２００を構成し、それにより、電源制御ユニット２００は、ネットワークＷｉ−Ｆｉクライアントデバイスとして、指定されたネットワークに加わることができる。工程３２０では、スマートフォンオペレーティングシステムは、電源制御ユニット２００とのピアツーピア接続を終了させる。工程３１６で、スマートフォンオペレーティングシステムが、電源制御ユニット２００とのピアツーピア接続を確立するためにネットワークアクセスポイントから接続解除した場合、スマートフォンオペレーティングシステムは、好ましくは、ネットワークアクセスポイントとの接続を再確立する。工程３２２では、電源制御ユニット２００は、スマートフォンオペレーティングシステムからのネットワーク構成データを使用して、ネットワークＷｉ−Ｆｉデバイスとして供給されるネットワークパラメータに従って、それ自体を構成し、クライアントデバイスとして、指定されたネットワークアクセスポイントに接続し、その後、電源制御ユニット２００およびスマートフォン１０は、好ましくは、ネットワークアクセスポイントを通じて互いと通信することができる。
【０１００】
[00103]  １つの好ましい実施形態においては、電源制御ユニット２００およびスマートフォン１０が、構成手順３００においてピアツーピア接続を確立する際にＷｉ−Ｆｉ  Ｄｉｒｅｃｔを利用することが好ましい場合がある。
【０１０１】
[00104]  構成手順３００において概説された特定の工程が、本開示の範囲から逸脱することなく、修正されても、削除されても、または追加されてもよいことは認識されよう。たとえば、構成手順３００は、スマートフォンオペレーティングシステムではなくむしろ、Ｐｒｏｄｕｃｔ  Ａｐｐによる実行に適合され得る。別の例としては、スマートフォンオペレーティングシステムは、電源制御ユニット２００に、スマートフォンからネットワークパラメータを首尾よく受領したことを電源制御ユニットによって確認された後にその構成手順を起動させることができ、または電源制御ユニット２００のシステムマイクロコントローラ２０８は、スマートフォンとのピアツーピア接続を終了させ、スマートフォンオペレーティングシステムが構成処理を初期化する必要なしに、スマートフォンからネットワークパラメータを首尾よく受領した後にその構成手順を起動することができる。
【０１０２】
[00105]  本開示の他の実施形態は、本明細書を考慮し、本明細書に開示される本開示を実践することから当業者には明らかになろう。本明細書および諸例は、ほんの例示として考慮されることが意図され、本開示の真の範囲および精神は、後に続く特許請求の範囲によって示される。
【図１】
2017504982.tif 000003
【図２】
2017504982.tif 000004
【図３】
2017504982.tif 000005
【図４】
2017504982.tif 000006
【国際調査報告】
2017504982.tif 000007
2017504982.tif 000008
2017504982.tif 000009